(57)【特許請求の範囲】
【請求項１】
パチンコ機から排出されたパチンコ球を研磨しながら搬送し、球タンクへ揚送するパチンコ球搬送装置と、このパチンコ球搬送装置に配置され前記パチンコ球を研磨するオープンロール式研磨布ユニットからなる島設備用パチンコ球研磨装置において、前記パチンコ球搬送装置は、少なくとも一対のプーリによって水平方向に搬送ベルトが巻き掛けられた搬送部と、この搬送部の上流側に設置され、この搬送部にパチンコ球を一列に整列させて取り込むパチンコ球取り込み口ユニットと、前記搬送部の下流側に設置され、前記搬送部から搬送されたパチンコ球を前記球タンクへ揚送するパチンコ球揚送部ユニットからなり、前記オープンロール式研磨布ユニットはスライドして前記パチンコ球搬送装置に着脱するボックス状のものであり、ベース部材の側面に研磨布の巻き取り手段を備えるとともに下方に前記研磨布を支える研磨通路部材を備え、前記研磨布の巻き取り手段は布送り部と布巻き取り部と前記布巻き取り部の駆動源からなるとともに前記研磨通路部材は少なくとも一列以上の研磨通路溝を有することを特徴とする島設備用パチンコ球研磨装置。
【請求項２】
前記パチンコ球取り込み口ユニットは、少なくとも一列以上の取り込み用パチンコ球通路を有するとともに各通路にパチンコ球を一列に整列させて取り込むための整列部材が設置され、前記パチンコ機から排出されたパチンコ球を前記搬送部の前記搬送ベルトと前記研磨通路部材の前記研磨通路溝に対応して取り込み可能とする請求項１の島設備用パチンコ球研磨装置。
【請求項３】
前記パチンコ球揚送ユニットは、水平状態から上方へ向けてパチンコ球を誘導する湾曲状パチンコ球通路を有するとともに各通路にはパチンコ球の逆流を防ぐアンチバック部材が設置され、前記搬送ベルトから取り込んだパチンコ球を揚送パイプを介して前記球タンクへ揚送可能としたことを特徴とする請求項１または請求項２の島設備用パチンコ球研磨装置。
【請求項４】
前記ベース部材に布巻き取り量の検出センサを設置し、この検出センサで研磨布の巻き取り量を検出し、前記巻き取り量に基づいて前記研磨布の巻き取り速度を調整可能にしたことを特徴とする請求項１，請求項２または請求項３の島設備用パチンコ球研磨装置。
【請求項５】
前記搬送ベルトが略水平又は搬送方向に向かって下り傾斜であることを特徴とする請求項１，請求項２，請求項３または請求項４の島設備用パチンコ球研磨装置。
【請求項６】
前記搬送ベルトの送り量調節手段又は回転速度調節手段を設置したことを特徴とする請求項１，請求項２，請求項３，請求項４または請求項５の島設備用パチンコ球研磨装置。
【請求項７】
前記ベース部材に布残量検知センサを設置し、研磨布の残量が所定残量に達したときに報知手段によって報知可能としたことを特徴とする請求項１，請求項２，請求項３，請求項４，請求項５または請求項６の島設備用パチンコ球研磨装置。
【発明の詳細な説明】
【技術分野】
【０００１】
この発明は島設備用パチンコ球研磨装置に関し、オープンロール式研磨布ユニットを備えている。パチンコ遊戯場におけるパチンコ機の島設備に設置され、パチンコ球の汚れを拭き取りながらパチンコ球を循環させるために使用される。
【背景技術】
【０００２】
従来におけるこの種の島設備用パチンコ球研磨装置は、パチンコ機から排出されたパチンコ球を研磨しながら搬送し、球タンクへ揚送していた。研磨の際に必要とする研磨布はカートリッジ式であり、ワンタッチで取り換え可能としていた。
【０００３】
【特許文献１】特開平１０−１７９９１３号公報
【特許文献２】特開１９９７−１７３６１６号公報
【発明の開示】
【発明が解決しようとする課題】
【０００４】
しかしながら、かかる従来の島設備用パチンコ球研磨装置にあっては、カートリッジ式研磨布ユニットが側方に研磨布を支える通路部材を備え、水平方向にスライドすることによって前記パチンコ球搬送装置に着脱していたため、横方向からしか研磨布ユニットの取り換えができず、このため、水平空間の取りにくい場所、例えば、枠内が幅狭であるパチンコ機の裏側には設置しにくいという不都合を有した。
【０００５】
この発明の課題はこれらの不都合を解消することである。
【課題を解決するための手段】
【０００６】
前記課題を達成するために、この発明に係る島設備用パチンコ球研磨装置においては、パチンコ機から排出されたパチンコ球を研磨しながら搬送し、球タンクへ揚送するパチンコ球搬送装置と、このパチンコ球搬送装置に配置され前記パチンコ球を研磨するオープンロール式研磨布ユニットからなるパチンコ球研磨装置において、前記パチンコ球搬送装置は、少なくとも一対のプーリによって水平方向に搬送ベルトが巻き掛けられた搬送部と、この搬送部の上流側に設置され、この搬送部にパチンコ球を一列に整列させて取り込むパチンコ球取り込み口ユニットと、前記搬送部の下流側に設置され、前記搬送部から搬送されたパチンコ球を前記球タンクへ揚送するパチンコ球揚送部ユニットからなり、前記オープンロール式研磨布ユニットはスライドして前記パチンコ球搬送装置に着脱するボックス状のものであり、ベース部材の側面に研磨布の巻き取り手段を備えるとともに下方に前記研磨布を支える研磨通路部材を備え、前記研磨布の巻き取り手段は布送り部と布巻き取り部とこの布巻き取り部の駆動源からなるとともに前記研磨通路部材は少なくとも一列以上の研磨通路溝を有するものである。
【０００７】
この場合、前記パチンコ球取り込み口ユニットは、少なくとも一列以上の取り込み用パチンコ球通路を有するとともに各通路にパチンコ球を一列に整列させて取り込むための整列部材が設置され、前記パチンコ機から排出されたパチンコ球を前記搬送部の前記搬送ベルトと前記研磨通路部材の前記研磨通路溝に対応して取り込み可能とするものである。
【０００８】
また、前記パチンコ球揚送ユニットは、水平状態から上方へ向けてパチンコ球を誘導する湾曲状パチンコ球通路を有するとともに各通路にはパチンコ球の逆流を防ぐアンチバック部材が設置され、前記搬送ベルトから取り込んだパチンコ球を揚送パイプを介して前記球タンクへ揚送可能とするものである。
【０００９】
この場合、前記ベース部材に布残量検知センサを設置し、研磨布の残量が所定残量に達したときに報知手段によって報知可能とすることもできる。
【００１０】
また、前記搬送ベルトを略水平又は搬送方向に向かって下り傾斜にすることもできる。
【００１１】
また、前記搬送ベルトの送り量調節手段又は回転速度調節手段を設置することもできる。
【００１２】
また、前記ベース部材に布巻き取り量の検出センサを設置し、この検出センサで研磨布の巻き取り量を検出し、前記巻き取り量に基づいて前記研磨布の巻き取り速度を調整可能にすることもできる。
【発明の効果】
【００１３】
この発明に係る島設備用パチンコ球研磨装置は上記のように構成されているため、即ちパチンコ機から排出されたパチンコ球を研磨しながら搬送し、球タンクへ揚送するパチンコ球搬送装置と、このパチンコ球搬送装置に配置され前記パチンコ球を研磨するオープンロール式研磨布ユニットからなる島設備用パチンコ球研磨装置において、前記パチンコ球搬送装置は、少なくとも一対のプーリによって水平方向に搬送ベルトが巻き掛けられた搬送部と、この搬送部の上流側に設置され、この搬送部にパチンコ球を一列に整列させて取り込むパチンコ球取り込み口ユニットと、前記搬送部の下流側に設置され、前記搬送部から搬送されたパチンコ球を前記球タンクへ揚送するパチンコ球揚送部ユニットからなり、前記オープンロール式研磨布ユニットはスライドして前記パチンコ球搬送装置に着脱するボックス状のものであり、ベース部材の側面に研磨布の巻き取り手段を備えるとともに下方に前記研磨布を支える研磨通路部材を備え、前記研磨布の巻き取り手段は布送り部と布巻き取り部とこの布巻き取り部の駆動源からなるとともに前記研磨通路部材は少なくとも一列以上の研磨通路溝を有するものであるため、上方向から研磨布ユニットの取り換えができる結果、上下方向に空間の取れる場所であればいかなる場所であっても設置することができる。
【００１４】
よって、この島設備用パチンコ球研磨装置を使用すれば、前記オープンロール式研磨布ユニットの着脱操作のために水平空間の取りにくい場所であっても上下方向に空間のとれる場所、例えば、その枠内が縦長であるパチンコ機の裏側であっても設置することができる。
【００１５】
この場合、前記パチンコ球取り込み口ユニッを、少なくとも一列以上の取り込み用パチンコ球通路を有するとともに各通路にパチンコ球を一列に整列させて取り込むための整列部材が設置され、前記パチンコ機から排出されたパチンコ球を前記搬送部の前記搬送ベルトと前記研磨通路部材の前記研磨通路溝に対応して取り込み可能とすれば、パチンコ球の取り込みしやすいものである。
【００１６】
また、前記パチンコ球揚送ユニットを、水平状態から上方へ向けてパチンコ球を誘導する湾曲状パチンコ球通路を有するとともに各通路にはパチンコ球の逆流を防ぐアンチバック部材が設置され、前記搬送ベルトから取り込んだパチンコ球を揚送パイプを介して前記球タンクへ揚送可能とすれば、パチンコ球の揚送作業が容易にできる。
【００１７】
この場合、前記ベース部材に布残量検知センサを設置し、研磨布の残量が所定残量に達したときに報知手段によって報知可能とすれば、研磨布が所定残量に達したときに報知手段によって知らせることができる。
【００１８】
また、前記搬送ベルトを略水平又は搬送方向に向かって下り傾斜にすれば前記オープンロール式研磨布ユニットを設置した場合、前記研磨通路部材、ひいては研磨布とこの搬送ベルトによってパチンコ球を挟持しやすいものである。
【００１９】
また、前記搬送ベルトの送り量調節手段又は回転速度調節手段を設置すれば、パチンコ球の研磨割合を適宜調節できる。
【００２０】
また、前記ベース部材に布巻き取り量の検出センサを設置し、この検出センサで研磨布の巻き取り量を検出し、前記巻き取り量に基づいて前記研磨布の巻き取り速度を調整可能にすれば、常時、一定速度で研磨布を送ることができる。
【発明を実施するための最良の形態】
【００２１】
この発明に係る島設備用パチンコ球研磨装置は実施するにあたって下記の構成に最も主要な特徴を有する。
【００２２】
「オープンロール式研磨布ユニット」は上下方向にスライドしてパチンコ球搬送装置に着脱する。
【００２３】
「オープンロール式研磨布ユニット」はスライドして前記パチンコ球搬送装置に着脱するボックス状のものであり、ベース部材の側面に研磨布の巻き取り手段を備えるとともに下方に前記研磨布を支える研磨通路部材を備え、前記研磨布の巻き取り手段は布送り部と布巻き取り部とこの布巻き取り部の駆動源からなるとともに前記研磨通路部材は少なくとも一列以上の研磨通路溝を有する。前記研磨通路部材はテンション調節機能を有している。
【００２４】
「パチンコ球搬送装置」は「少なくとも一対のプーリによって水平方向に搬送ベルトが巻き掛けられた搬送部」と「パチンコ球取り込み口ユニット」と「パチンコ球揚送部ユニット」とからなる。「前記搬送部」の「パチンコ球取り込み口ユニット」側が定義上の「上流側」、「パチンコ球揚送部ユニット」側が定義上の「下流側」に相当し、パチンコ球が上流側から下流側に搬送ベルトによって搬送される。
【００２５】
「パチンコ球取り込み口ユニット」は、前記パチンコ球取り込み口ユニットは、少なくとも一列以上の取り込み用パチンコ球通路を有するとともに各通路にパチンコ球を一列に整列させて取り込むための整列部材（整列レバー）が設置され、前記パチンコ機から排出されたパチンコ球を前記搬送部の前記搬送ベルトと前記研磨通路部材の前記研磨通路溝に対応して取り込み可能とする。
【００２６】
「パチンコ球揚送ユニット」は、前記パチンコ球揚送ユニットは、水平状態から上方へ向けてパチンコ球を誘導する湾曲状パチンコ球通路を有するとともに各通路にはパチンコ球の逆流を防ぐアンチバック部材が設置され、前記搬送ベルトから取り込んだパチンコ球を揚送パイプを介して前記球タンクへ揚送可能とする。
【００２７】
「ベース部材」に布残量検知センサを設置し、研磨布の残量が所定残量に達したときに報知手段によって報知可能とすることができる。
【００２８】
「ベース部材」に布送り速度検知センサを設置し、研磨布の布送り速度に基づいて研磨布の巻き取り速度を調整可能にすることができる。
【００２９】
「搬送ベルト」は略水平又は搬送方向に向かって下り傾斜にすることができる。
【００３０】
「搬送ベルト」の送り量調節手段又は回転速度調節手段を設置することもできる。
【実施例】
【００３１】
以下、この発明の実施例を図面に基づいて説明する。
【００３２】
図１はこの発明に係る島設備用パチンコ球研磨装置の使用状態図、図２は図１におけるII部拡大図、図３は図２の平面図、図４は同右側面図、図５は同左側面図、図６はオープンロール式研磨布ユニットの正面図（カバー蓋３４を省略した図である）、図７は同平面図、図８は同右側面図、図９は同底面図、図１０は図６におけるX部の断面図、図１１は図１０におけるXI-XI線断面図、図１２は図２におけるXII部の断面図、図１３は図１２の右側面図、図１４は図１２の部分断面平面図、図１５は図１２におけるXV-XV線断面図、図１６は図２におけるXVI部断面図、図１７は図１６におけるXVII-XVII線断面図、図１８は図１６の部分断面平面図である。
【００３３】
図１において、Ａはパチンコ機の島設備であり、多数のパチンコ機１０，１０，…が背中合わせとなるように配列されている。
【００３４】
なお、パチンコ機１０は外枠を介して島設備に釘打ちされる。この外枠のサイズとは、関東枠サイズ、関西枠サイズをさすが、以下これについて説明する。
【００３５】
概略的に延べれば、関東枠サイズとは、主に東日本で設置されているパチンコ機の外形寸法（外枠サイズ）であり、また関西枠サイズとは、主に西日本で設置されているパチンコ機の外形寸法（外枠サイズ）である。これらを比較すると、関東枠サイズは関西枠サイズに比べてやや小さい。例えば、関東枠サイズ：縦８０５mm、横：５２５mmに対して、関西枠サイズ：縦８２０mm,横：５２５mmの機種があり、また、関東枠サイズ：縦８１０mm、横：５２０mmに対して、関西枠サイズ：縦８２０mm,横：５３０mmの機種がある。
【００３６】
また、１１は球タンクであり、前記パチンコ機設置島Ａにおける前記パチンコ機１０の背面上方に設置されている。この球タンク１１は前記パチンコ機１０と前記パチンコ機設置島Aとを循環するパチンコ球を収容する。１２，１２はパチンコ球供給樋であり、前記球タンク１０の両側に設置され、下り傾斜で前記パチンコ機１０，１０，…の上方に延びている。このパチンコ球供給樋１２，１２は前記球タンク１１のパチンコ球Ｐを前記各パチンコ機１０，１０，…に供給する。
【００３７】
１３は排出球タンクであり、前記パチンコ機設置島Ａにおける前記パチンコ機１０の背面に設置されている。この排出球タンク１３は前記パチンコ機１０，１０，…から排出されたパチンコ球Ｐを収容する。１４，１４はパチンコ球排出樋であり、前記排出球タンク１３の両側に設置され、上り傾斜で前記パチンコ機１０，１０，…の下方に延びている。この排出樋１４、１４は前記パチンコ機１０，１０，…から排出されるパチンコ球Ｐを前記排出球タンク１３に回収する。
【００３８】
Ｂはパチンコ球研磨装置であり、前記パチンコ機設置島Ａにおける前記排出球タンク１３に並設している。このパチンコ球研磨装置Ｂは前記排出球タンク１３内のパチンコ球Ｐを研磨し、揚送パイプ１５，１５を介して前記球タンク１１に揚送する。
【００３９】
図２〜図５に基づいて前記パチンコ研磨装置Ｂについて説明する。
【００４０】
このパチンコ球研磨装置Ｂは、パチンコ機１０，１０，…から排出されたパチンコ球Ｐを研磨しながら搬送し、球タンク１１へ揚送するパチンコ球搬送装置Ｃと、このパチンコ球搬送装置Ｃに配置され前記パチンコ球Ｐを研磨するボックス状のオープンロール式研磨布ユニットＤから構成される。
【００４１】
なお、この実施例におけるパチンコ球研磨装置Ｂの寸法は図２および図３に示すように、横k＝４１０mm,縦(把手３８を畳んだ場合)e＝３６６mm, 縦(把手３８を立てた)f＝４１６mm,幅ｇ＝１８３mmであり、前記外枠の中を通過可能なサイズである。
【００４２】
２０は前記パチンコ球搬送装置Ｃの基板であり、垂直状態に配置されている。この基板２０を介して前記パチンコ球搬送装置Ｃは前記パチンコ機設置島Ａに固定される。また、２０１，２０１は把手であり、前記基板２０の上部の両側端に突設されている。２１は原動軸であり、前記基板２０に軸支されている。この原動軸２１は前記基板２０に対して垂直に延びている。２２は駆動モータであり、前記基板２０の背面に設置されている。この駆動モータ２２によって前記原動軸２１は回転する。２３は原動プーリであり、前記原動軸２１に嵌着されている。この原動プーリ２３は前記原動軸２１と一体的に回転する。２４は従動軸であり、前記基板２０に軸支されている。この従動軸２４は前記原動軸２１と略同じ高さに位置している。２５は従動プーリであり、前記従動軸２４に回転可能に嵌められている。この従動プーリ２５は前記従動軸２４を中心として回転する。２６は搬送ベルトであり、前記原動プーリ２３と前記従動プーリ２５との間に巻き掛けられている。この搬送ベルト２６は前記駆動モータ２２によって矢印方向（図２において）に回転する。少なくともこの一対のプーリ−２３，２５によって水平方向に前記搬送ベルト２６が巻き掛けられた搬送部Ｅの後記パチンコ球取り込み口ユニットＧ側が定義上の「上流側」、後記「パチンコ球揚送部ユニットＨ」側が定義上の「下流側」に相当し、パチンコ球Ｐが上流側から下流側に前記搬送ベルト２６によって搬送される。なお、この搬送部Ｅと後記パチンコ球取り込み口ユニットＧと後記パチンコ球揚送部ユニットＨとからこの発明のパチンコ球搬送装置Ｃが構成される。また、前記搬送部Ｅにおいて駆動源（駆動モータ２２）に１対してプーリ自体は複数でも良い。
【００４３】
次に、２７，２７は支持片であり、前記基板２０の上部両側に立設されている。この支持片２７，２７にはターンバックル式の掛け止め具２８，２８が設置されている。また、２９は切り欠きであり、前記基板２０に形成されている。この切り欠き２９は上方に開放している。
【００４４】
図６〜１１に基づいて、前記オープンロール式研磨布ユニットＤについて詳述する。
【００４５】
図において、３０はベース板（研磨布ユニットＤの）（この発明の「ベース部材」に相当する）であり、略垂直に配置されている。このベース板３０（ベース部材）は金属製、樹脂製である。３１，３１は天板であり、前記ベース板３０の両側の上端縁に折り曲げ形成されている。この天板３１，３１は略水平に延びている。３２，３２は取付片であり、前記天板３１，３１の外端縁に折り曲げ形成されている。この取付片３２，３２は前記ベース板３０の端縁に沿って上下方向に延びている。３３，３３は掛け止め片であり、前記取付片３２，３２に設置されている。この掛け止め片３３，３３には前記掛け止め具２８，２８が掛け止めする。３４はカバー蓋であり、前記天板３１，３１の先端縁に蝶番３５，３５を介して揺動可能に設置されている。このカバー蓋３４は前記ベース板３０の前面を開閉する（なお、図６はこのカバー蓋３４を省略した図である）。３６，３６はガイド片であり、前記ベース板３０の両端縁の下部に折り曲げ形成されている。このガイド片３６，３６は後記研磨布Ｆの垂直方向の移動をガイドする。３７，３７は取付片であり、前記ガイド片３６，３６を内側に折り曲げ形成することにより形成される。この取付片３７，３７は内側方向に水平に延びている。なお、３８は把手であり、前記一対の天板３１，３１の間に架け渡された状態で設置されている。この把手３８は背面側に９０度揺動する。
【００４６】
図９，図１０，図１１において、４０は固定枠であり、前記取付片３７，３７に固定されている。この固定枠４０は断面コ字状であり、下方に開放している。４１，４１，…は湾曲通路部材（この発明の「研磨通路部材」に相当する）であり、前記固定枠４０内に三列状に配置されている。この湾曲通路部材４１，４１，…の表面に後記研磨布Ｆが敷設される。４２，４２，…は圧縮ばね（コイルスプリング）であり、前記固定枠４０と前記湾曲通路部材４１，４１，…との間に設置され、前記湾曲通路部材４１，４１，…を表面側に付勢している。４３，４３は鉤止片であり、前記固定枠４０に固定されている。この鉤止片４３，４３は前記湾曲通路部材４１，４１，…の付勢による抜け落ちを図っている。
【００４７】
４４，４４，…は湾曲通路溝（この発明の「研磨通路溝」に相当する）であり、前記湾曲通路溝４１，４１，…の表面に形成されている。この湾曲通路溝４４，４４，…は断面が球面状（パチンコ球に合わせた）であり、長手方向には蛇行している。前記搬送ベルト２６によって搬送されるパチンコ球Ｐはこの湾曲通路溝４４，４４，…に沿って(研磨布Ｆを介して）回転方向をずらしながら搬送されるため表面全体が研磨される。４５，４６はガイド部材であり、前記固定枠４０に固定されている。これらのガイド部材４５、４６は研磨布Ｆの前記湾曲通路部材４１，４１，…への侵入、抜け出しをガイドしている。なお、前記「研磨通路溝」の第二実施形態として、直線状の研磨通路溝をジグザグ状に繋げた（鋭角又は鈍角で連続させる）クランク通路を使用することもできる。この場合も、左右方向（斜め）へパチンコ球Pを動かすことにで、パチンコ球Pと研磨布Fの接触面をずらし、研磨効果を高めるためである。
【００４８】
図６，図８において、５０は支持軸であり、前記ベース板３０の表面に立設されている。この支持軸（この発明の「布送り部」に相当する）５０には使用前の研磨布ロールＲが回転可能に嵌められる。５１は巻取軸（この発明の「布巻き取り部」に相当する）であり、前記ベース板３０の表面に立設されている。この巻取軸５１は前記ベース板３０の背面に突出している。５２は巻取ローラ（この発明の「布巻き取り部」に相当する）であり前記巻取軸５１に固定されている。前記研磨布ロールＲの研磨布Ｆはガイドローラ５３、ガイド片３６にガイドされ、前記湾曲通路部材４１，４１，…の表面を通過してガイド片３７にガイドされ速度調節プーリ５４に巻き掛けられ、前記巻取ローラ５２に固定されている。このため、前記巻取軸５１を回転させることにより前記研磨布Ｆを前記湾曲通路部材４１，４１，…を通過させた状態で巻き取ることができる。
【００４９】
図６，図７，図８において、５５は従動ギアであり、前記巻取軸５１の背面突出部に固定されている。５６は駆動モータで（この発明の「布巻き取り部の駆動源」に相当する）あり、前記ベース板３０の表面に固定されている。この駆動モータ５６の回転軸５７は前記ベース板３０の背面に突出している。５８は原動ギアであり、前記回転軸５７の背面突出部に固定されている。この原動ギア５８は連動ギア５９を介して前記従動ギア５５に歯合している。このため、前記駆動モータ５６の駆動によって前記巻取軸５１を回転させ、研磨布Ｆを巻き取ることができる。なお、研磨布Ｆの巻き取りは一定時間が経過するごとに前記駆動モータ５６が所定時間だけ駆動し所謂間欠的に行われる。９２は布残量検知センサであり、前記ベース板３０の背面に設置されている。この布残量検知センサ９２が前記研磨布ロールＲの布残量が所定残量に達したときに報知手段によって報知する。
【００５０】
また、９３は布巻き取り量の検出センサであり、前記ベース板３０の背面に設置されている。この布巻き取り量の検出センサ９３が前記速度調節プーリ５４の隙間（プーリ５４の周面の凹凸の隙間をフォトで検出する）を間欠的に検出することで巻き取り量を判断する。送り側、巻き取り側のロールの直径（研磨布の量が可変する）によって、モータ５６の研磨布Ｆの巻き取り力は異なるため、当該プーリ５４の前記検出間隔で、巻き取り量（時間当たりの巻き取り量）を検出し、モータ５６の駆動速度を調整するものである。１回のオンオフの切り替わり検出のタイミングで巻き取り量を検出、判定する。なお、前記５６駆動モータ５６の電源は外部からハーネスを介して採っており、また、前記布残量検知センサ９２及び前記布送り速度検知センサ９３のコントロール部は前記オープンロール式研磨布ユニットＤの外部に設置され、ハーネスを介してつながれている。
【００５１】
６０はカバーボックスであり、前記ベース板３０の背面にビス止めされている。このカバーボックス６０は前記基板（パチンコ球搬送装置Ｃ）２０の切り欠き２９の形状に合わせて下端部が漸次狭幅になっている。
【００５２】
上記のように構成される前記オープンロール式研磨布ユニットＤを前記パチンコ球搬送装置Ｃに配置するには、前記カバーボックス６０を前記基板（パチンコ球搬送装置Ｃ）２０の切り欠き２９は探すのが大変なのでこの切り欠き２９の形状に合わせて上方から嵌めこみ、前記基板（パチンコ球搬送装置Ｃ）２０の前記掛け止め具２８，２８を前記掛け止め片（研磨布ユニットＤ）３３，３３に掛け止めすればよい。この状態で前記湾曲通路部材４１，４１，…は前記オープンロール式研磨布ユニットＤの下端面に位置することになり、前記搬送ベルト２６に対向している。
【００５３】
なお、この実施例におけるオープンロール式研磨布ユニットＤの寸法は図６および図８に示すように、横h＝２６０mm,縦i＝３３２mm,幅j＝１０８mmであり、前記外枠の中を通過可能なサイズである。この実施例におけるオープンロール式研磨布ユニットＤは前記パチンコ球研磨装置Ｂ同様開放した前記外枠の中に通すことができる程のコンパクトサイズであり、よって、オープンロール式研磨布ユニットＤおよび前記パチンコ球研磨装置Ｂの取り扱い性能が高くなる。
【００５４】
次に、図１２〜１５に基づいて前記パチンコ球取り込み口ユニットＧについて詳述する。前記パチンコ球取り込み口ユニットＧは前記搬送部Ｅの上流側に位置し、取付ステイ６１によって前記基板２０にビス止めされる。６２，６２は前記取り込み口ユニットＧの外枠、６３，６３はこの外枠６２，６２の内側に配置された側板である。これらの側板６３，６３の内側には３つの整列レバー６４，６４，…が仕切り板部材６５を介して重設されている。
【００５５】
６６，６６，…はパチンコ球通路であり、前記仕切り板部材６５又は前記仕切り板部材６５と前記側板６３，６３及び前記整列レバー（この発明の「整列部材」に相当する）６４の下端面とによって形成される。このパチンコ球通路６６，６６，…の入口は前記排出球タンク１３に開口し、出口は前記搬送ベルト２６の搬送面に接しながら前記湾曲通路部材４１，４１，…の湾曲通路溝４４，４４，…に通じている。
【００５６】
６８は揺動軸であり、前記パチンコ球通路６６，６６，…の入口側に設置され、前記外枠６２，６２、側板６３，６３，３つの整列レバー６４，６４，…及び仕切り板部材６５を貫通した状態で前記外枠６２，６２に固定されている。この揺動軸６８を中心として前記整列レバー６４，６４は揺動する。
【００５７】
６９は揺動規制軸であり、前記前記パチンコ球通路６６，６６，…の出口側に設置されている。この揺動規制軸６９は前記整列レバー６４，６４，…のスライド孔７０に貫通しており、所定の範囲内のみで前記整列レバー６４，６４，…の揺動を可能にしている。７１，７１，…は圧縮ばね（コイルスプリング）であり、前記取付ステイ６１と前記整列レバー６４，６４，…との間に設置されている。この圧縮ばね７１，７１，…は前記整列レバー６４，６４，…を下方に押し付け、研磨布Ｆへの押し付けを行うことで、確実に搬送ベルト２６に接触させる。この接触により、搬送ベルト２６の力でパチンコ球Ｐが右方向に引張られていく。また、左側からのパチンコ球Ｐの球圧も右方向へ押し出す力が働く。
【００５８】
このように構成される前記パチンコ球取り込み口ユニットＧの作用について説明する。
【００５９】
入口から流入したパチンコ球Ｐは自重によって前記パチンコ球通路６６，６６，…内を移動し、前記搬送ベルト２６上に到達する。そして、搬送ベルト２６による移動（図１３において右方向）にともない前記圧縮ばね７１，７１，…に抗して前記整列レバー６４，６４，…を押し上げ（図１２仮想線の状態）、出口から一列に整列させて前記湾曲通路部材４１，４１，…の湾曲通路溝４４，４４，…に送り込む。後は、前記搬送ベルト２６に乗って前記湾曲通路溝４４，４４，…に沿って研磨されながら水平移動する。
【００６０】
次に、図１６〜１８に基づいて前記パチンコ球揚送部ユニットＨについて詳述する。前記パチンコ球揚送部ユニットＨは前記搬送部Ｅの下流側に位置し、前記基板２０にボルト止めされている。８０，８０は前記揚送部ユニットＨの外枠、８１，８１，…はこの外枠８０，８０の内側に配置された通路構成部材である。これらの通路構成部材８１，８１，…は一対で一組になっており、対向する面に互いに対称な通路溝８２，８２，…及び作動空間溝８３，８３，…が形成され、これらを重ねることによりパチンコ球通路８４，８４，…及び作動空間８５，８５，…を形成する。
【００６１】
このパチンコ球通路８４，８４，…は湾曲（一定曲率）部を介したあと上方に向かっており、その入口は前記搬送ベルト２６及び前記湾曲通路部材４１，４１，…の湾曲通路溝４４，４４，…のそれぞれに対応して開口し、出口は前記揚送パイプ１５，１５，…につながっている。また、前記作動空間８５，８５，…は内部に向かって突出空間８６，８６，…を有している。
【００６２】
８７は揺動軸であり、前記パチンコ球通路８４，８４，…の入口側に設置されている。８８，８８，…はアンチバックレバーであり、前記作動空間８５，８５，…に収容され、前記揺動軸８７を中心として揺動する。このアンチバックレバー８８，８８，…は揺動することによって、前記パチンコ球通路８４，８４，…の内周面を構成してパチンコ球Ｐの流れを許容したり、前記パチンコ球通路８４，８４，…の内周面から突出してパチンコ球Ｐの逆流を防止する。また、前記突出空間部８６，８６，…の下面に当接することによってアンチバックレバー８８，８８，…が必要以上にパチンコ球通路８４，８４，…に突出するのを防止している。前記アンチバックレバー８８は、逆流したパチンコ球Ｐと搬送ベルト２６が接触することによって、空転および搬送ベルト２６との接触による発熱で、前記搬送ベルト２６を含めた樹脂製品が歪むなどの問題を防止するために設置されたものであり、逆流によって、パチンコ球Ｐが通路から外部にはみ出さないように入口部にてせき止める意味があり、更にそのせき止めを行う部材が、パチンコ球の取り込み部の上面部（パチンコ球通路８４の上昇カーブへの取り込みのための）を兼ねている。
【００６３】
８９，８９，…は押圧具であり、上下動可能に設置されその先端面は前記アンチバックレバー８８，８８，…の先端部（揺動軸と反対側）上面に接触している。９０，９０，…は圧縮ばね（コイルスプリング）であり、座板９１と前記押圧具８９，８９，…との間に設置されている。この圧縮ばね９０，９０，…はパチンコ球Ｐが逆流しないように前記アンチバックレバー８８，８８，…を下方に付勢している。
【００６４】
このように構成される前記パチンコ球揚送部ユニットＨの作用について説明する。
【００６５】
前記搬送ベルト２６に乗って前記湾曲通路溝４４，４４，…に沿って研磨されながら水平移動してきたパチンコ球Ｐは、前記パチンンコ球通路８４，８４，…の入口に達する。パチンコ球Ｐは前記湾曲通路溝４４，４４，…を脱した後はそのまま前記搬送ベルト２６に乗って前記アンチバックレバー８８，８８，…を押し上げながら前記パチンンコ球通路８４，８４，…に侵入する。そして、前記搬送ベルト２６から離れた位置に達すると前記アンチバックレバー８８，８８，…の押し上げ作業は終了し、前記パチンンコ球通路８４，８４，…に突出してパチンコ球Ｐの逆流を防止する。この作業を繰り返すことによって前記パチンンコ球通路８４，８４，…内にパチンコ球Ｐを押し出し、ひいては、前記揚送パイプ１５，１５，…を介して前記球タンク１１まで押し上げる。
【産業上の利用可能性】
【００６６】
この発明に係る島設備用パチンコ球研磨装置は、水平方向に空間の取りにくい場所であっても上下方向に操作空間が確保できれば前記オープンロール式研磨布ユニットの着脱操作をすることができる。前記オープンロール式研磨布ユニットの着脱操作のために水平空間の取りにくい場所であっても上下方向に空間のとれる場所、例えば、その枠内が縦長であるパチンコ機の裏側であっても設置することができる。よって、産業上の利用可能性は高いものである。
【図面の簡単な説明】
【００６７】
【図１】図１はこの発明に係る島設備用パチンコ球研磨装置の使用状態図である。
【図２】図２は図１におけるII部拡大図である。
【図３】図３は図２の平面図である。
【図４】図４は同右側面図である。
【図５】図５は同左側面図である。
【図６】図６はオープンロール式研磨布ユニットの正面図（カバー蓋３４を省略した図）である。
【図７】図７は同平面図である。
【図８】図８は同右側面図である。
【図９】図９は同底面図である。
【図１０】図１０は図６におけるX部の断面図である。
【図１１】図１１は図１０におけるXI-XI線断面図である。
【図１２】図１２は図２におけるXII部の断面図である。
【図１３】図１３は図１２の右側面図である。
【図１４】図１４は図１２の部分断面平面図である。
【図１５】図１５は図１２におけるXV-XV線断面図である。
【図１６】図１６は図２におけるXVI部断面図である。
【図１７】図１７は図１６におけるXVII-XVII線断面図である。
【図１８】図１８は図１６の部分断面平面図である。
【符号の説明】
【００６８】
Ａ  …  パチンコ機設置島
Ｂ  …  パチンコ球研磨装置
Ｃ  …  パチンコ球搬送装置
Ｄ  …  オープンロール式研磨布ユニット
Ｅ  …  搬送部
Ｆ  …  研磨布
Ｇ  …  パチンコ球取り込み口ユニット
Ｈ  …  パチンコ球揚送部ユニット
Ｐ  …  パチンコ球
Ｒ  …  研磨布ロール
ｋ  …  横（パチンコ球研磨装置）
e   …  縦(パチンコ球研磨装置、把手３８を畳んだ場合)
f   …  縦(パチンコ球研磨装置、把手３８を立てた)
g   …  幅（パチンコ球研磨装置）
h   …  横（オープンロール式研磨布ユニット）
i   …  縦（オープンロール式研磨布ユニット）
j   …  幅（オープンロール式研磨布ユニット）
１０  …  パチンコ機
１１  …  球タンク  
１２  …  パチンコ球供給樋
１３  …  排出球タンク
１４  …  パチンコ球排出樋
１５  …  揚送パイプ
２０  …  基板
２０１  …  把手
２１  …  原動軸
２２  …  駆動モータ
２３  …  原動プーリ
２４  …  従動軸
２５  …  従動プーリ
２６  …  搬送ベルト
２７  …  支持片
２８  …  ターンバックル式の掛け止め具
２９  …  切り欠き
３０  …  ベース板（研磨布ユニットＤの）（ベース部材）
３１  …  天板
３２  …  取付片
３３  …  掛け止め片
３４  …  カバー蓋
３５  …  蝶番
３６  …  ガイド片
３７  …  取付片
３８  …  把手
４０  …  固定枠
４１  …  研磨通路部材
４２  …  圧縮ばね（コイルスプリング）
４３  …  鉤止片
４４  …  湾曲通路溝（研磨通路溝）
４５  …  ガイド部材
４６  …  ガイド部材
５０  …  支持軸（布送り部）
５１  …  巻取軸（布巻き取り部）
５２  …  巻取ローラ（布巻き取り部）
５３  …  ガイドローラ
５４  …  速度調節プーリ
５５  …  従動ギア
５６  …  駆動モータ（布巻き取り部の駆動源）
５７  …  回転軸５７
５８  …  原動ギア
５９  …  連動ギア
６０  …  カバーボックス
６１  …  取付ステイ
６２  …  外枠
６３  …  側板
６４  …  整列レバー（整列部材）
６５  …  仕切り板部材
６６  …  パチンコ球通路
６８  …  揺動軸
６９  …  揺動規制軸
７０  …  スライド孔
７１  …  圧縮ばね（コイルスプリング）
８０  …  外枠
８１  …  通路構成部材
８２  …  通路溝
８３  …  作動空間溝
８４  …  パチンコ球通路
８５  …  作動空間
８６  …  突出空間
８７  …  揺動軸
８８  …  アンチバックレバー
８９  …  押圧具
９０  …  圧縮ばね（コイルスプリング）
９１  …  座板
９２  …  布残量検知センサ
９３  …  布送り速度検知センサ
【要約】      （修正有）【課題】オープンロール式研磨布ユニットの着脱操作のために水平空間の取りにくい場所であっても上下方向に空間のとれる場所、例えば、その枠内が縦長であるパチンコ機の裏側であっても設置することができる島設備用パチンコ球研磨装置を提供する。【解決手段】島設備用パチンコ球研磨装置Ｂにおいて、オープンロール式研磨布ユニットＤはスライドしてパチンコ球搬送装置Ｃに着脱するボックス状のものであり、ベース部材の側面に研磨布Ｆの巻き取り手段を備えるとともに下方に研磨布Ｆを支える湾曲通路部材を備え、研磨布Ｆの巻き取り手段は布送り部と布巻き取り部とこの布巻き取り部の駆動源からなる。【選択図】図２【図１】
0005840747.tif 000002
【図２】
0005840747.tif 000003
【図３】
0005840747.tif 000004
【図４】
0005840747.tif 000005
【図５】
0005840747.tif 000006
【図６】
0005840747.tif 000007
【図７】
0005840747.tif 000008
【図８】
0005840747.tif 000009
【図９】
0005840747.tif 000010
【図１０】
0005840747.tif 000011
【図１１】
0005840747.tif 000012
【図１２】
0005840747.tif 000013
【図１３】
0005840747.tif 000014
【図１４】
0005840747.tif 000015
【図１５】
0005840747.tif 000016
【図１６】
0005840747.tif 000017
【図１７】
0005840747.tif 000018
【図１８】
0005840747.tif 000019